(57)【要約】【課題】従来のものでは、点火操作時に電磁安全弁を開弁させるためには、操作軸を押し下げたままの状態で所定の開度まで操作軸を回動し、さらに押し下げたまま回動操作力によって電磁安全弁の弁体を電磁石に押接させ、ガスバーナに点火され弁体が電磁石に吸着保持されるまで操作軸に押し下げ力と回動操作力とを作用させ続けなければならない。そのため、手の筋力が衰えている高齢者や手に障害を有しているものにとっては点火操作を行うことが困難になる。【解決手段】操作軸の押し込み動作に連動して上記電磁安全弁の弁体を電磁石に押接させるようにした。【選択図】  図３
2014173610.tif 000002
【特許請求の範囲】
【請求項１】
閉弁方向に付勢されている弁体を電磁石で吸着して全開状態で保持する電磁安全弁と、全閉位置から火力操作範囲にわたって回動操作する操作軸とを備え、下流に接続されたガスバーナに点火する際に、全閉位置で操作軸を押し込み、その押し込んだ状態で全開位置に向かって回動する一連の点火動作中に、電磁安全弁の弁体を電磁石に押接させるガスコックにおいて、上記操作軸の押し込み動作に連動して揺動する揺動部材を設け、この揺動部材が揺動することによって揺動部材で上記電磁安全弁の弁体を押し、この弁体を電磁石に押接させ、操作軸を全開位置に向かって回動している間、弁体を電磁石に押接させた状態を保持することを特徴とするガスコック。
【請求項２】
上記操作軸に係合し、回り止めされた状態で操作軸と共に上下移動する上下板を設け、この上下板で上記揺動部材を揺動させて電磁安全弁の弁体を電磁石に押接させることを特徴とする請求項１に記載のガスコック。
【発明の詳細な説明】
【技術分野】
【０００１】
本発明は、点火する際に全閉状態で操作軸を一旦押し込む操作を行うガスコックに関する。
【背景技術】
【０００２】
上記従来のガスコックとしては、例えば、ガスコックに内蔵されている閉子を回転させる操作軸を設け、この操作軸を回動することにより操作軸に連動して閉子を回動させ、ガスの流量を増減するものが知られている。点火する際には、この操作軸を全閉状態で一旦押し込み、その押し込んだ状態を保持しながら全開方向に向かって操作軸を回動させると、閉子での開度が増加する。
【０００３】
一方、このガスコックには電磁安全弁が内蔵されており、点火操作によって電磁安全弁が開弁される。具体的には、操作軸にカムが取り付けられており、閉子の開度が点火に適した開度になると、操作軸に作用させている回動操作力が操作軸からカムを介して電磁安全弁の弁体に伝えられる。そして、その弁体が電磁安全弁の電磁石を押接させ、ガスバーナに点火されると電磁石が励磁されて弁体を開弁状態で吸着保持することになる。なお、操作軸は全閉状態で押し込むと、その押し込んだままの状態を保持して全開方向に回動し、電磁安全弁の弁体を電磁石に押接する必要があり、回動途中で操作軸に対する押し下げ力が緩むと、操作軸とカムとの係合が解除されカムが回動しなくなるため点火できなくなる。その場合には、操作軸を一旦全閉状態に戻し、点火操作を最初からやり直す必要がある。
【先行技術文献】
【特許文献】
【０００４】
【特許文献１】特開２００８−８９１４５号公報（段落００５０，００５１）
【発明の概要】
【発明が解決しようとする課題】
【０００５】
上記従来のものでは、点火操作時に電磁安全弁を開弁させるためには、操作軸を押し下げたままの状態で所定の開度まで操作軸を回動し、さらに押し下げたまま回動操作力によって電磁安全弁の弁体を電磁石に押接させ、ガスバーナが点火して弁体が電磁石に吸着保持されるまで、操作軸に押し下げ力と回動操作力とを作用させ続けなければならない。そのため、手の筋力が衰えている高齢者や手に障害を有しているものにとっては、点火操作を行うことが困難であるという不具合が生じる。
【０００６】
そこで本発明は、上記の問題点に鑑み、従来のものより点火操作を容易に行うことのできるガスコックを提供することを課題とする。
【課題を解決するための手段】
【０００７】
上記課題を解決するために本発明によるガスコックは、閉弁方向に付勢されている弁体を電磁石で吸着して全開状態で保持する電磁安全弁と、全閉位置から火力操作範囲にわたって回動操作する操作軸とを備え、下流に接続されたガスバーナに点火する際に、全閉位置で操作軸を押し込み、その押し込んだ状態で全開位置に向かって回動する一連の点火動作中に、電磁安全弁の弁体を電磁石に押接させるガスコックにおいて、上記操作軸の押し込み動作に連動して揺動する揺動部材を設け、この揺動部材が揺動することによって揺動部材で上記電磁安全弁の弁体を押し、この弁体を電磁石に押接させ、操作軸を全開位置に向かって回動している間、弁体を電磁石に押接させた状態を保持することを特徴とする。
【０００８】
上記構成によれば、操作軸を押し下げることにより揺動部材を揺動させ、その揺動部材で電磁安全弁の弁体を押して電磁石に押接させることができる。操作軸を回動させるよりも押し下げる方が容易であり、かつ、押し下げ方向には体重を利用できるので大きな力を作用させることができる。そのため、電磁安全弁の弁体を電磁石に対して確実に押接させることができる。更に、操作軸を回動している間、常に弁体を電磁石に押接させたままの状態にすることができる。
【０００９】
なお、操作軸の軸線上に電磁安全弁の弁体を配置することは構造的に無理があるため、操作軸に板状の部材を固定し、その板状の部材で電磁安全弁の弁体を押す構成が考えられるが、操作軸は電磁安全弁の弁体を押した状態でさらに回動する必要があるので、操作軸に板状の部材を固定したのでは、板状の部材も回動して、弁体を押している部分に摩擦が生じ、回動操作が重くなる。
【００１０】
そこで、上記操作軸に係合し、回り止めされた状態で操作軸と共に上下移動する上下板を設け、この上下板で上記揺動部材を揺動させて電磁安全弁の弁体を電磁石に押接させることが望ましい。
【発明の効果】
【００１１】
以上の説明から明らかなように、本発明は、点火操作時において操作軸を押し下げる力によって電磁安全弁の弁体を電磁石に押接させるので、回動操作力で押接させる従来のものより確実に弁体を電磁石に押接させることができる。
【図面の簡単な説明】
【００１２】
【図１】本発明によるガスコックの一方からの斜視図
【図２】同ガスコックの他方からの斜視図
【図３】同ガスコックの分解図
【図４】カムの詳細を示す図
【図５】バネと上下板と操作軸との関係を示す図
【図６】操作軸の回動位相について説明する図
【発明を実施するための形態】
【００１３】
図１から図３を参照して、１は本発明によるガスコックの一例である。本ガスコック１は流入口からガスを導入し、導入されたガスを２系統に分岐して２個の流出口１２，１３からガスを流出させるものである。８は親子バーナであり、両流出口１２，１３から流出したガスは親バーナ８１と子バーナ８２に各々供給されるように配管されている。
【００１４】
両流出口１２，１３からガスが流出していない消火状態、すなわち全閉状態から親子バーナ８に点火する際には、操作軸２を下方に押し込み、その押し込んだ状態を保持しながら左方向に回動させる。
【００１５】
操作軸２には、操作軸２と共に上下移動する上下板３が取り付けられており、操作軸２を押し下げることにより上下板３が下方に移動してマイクロスイッチ７２をオンさせる。すると、図外のコントローラは操作軸２が押し下げられたことを検知して、同じく図外のスパーカを作動させ親子バーナ８近傍に断続的な火花放電を発生させる。
【００１６】
操作軸２には、同じく操作軸２と共に上下移動し、かつ操作軸２と共に回動するカム５が上下板３の上方に設けられている。操作軸２を押し込んだ状態で操作軸２を回動させると、カム５がマイクロスイッチ７１をオンさせ、上記コントローラは操作軸２が回動されていることを検知することができる。また、操作軸２の下端には図示しない閉子が取り付けられており、操作軸２を回動させると閉子も共に回動し、流出口１２，１３から流出されるガスの流量が徐々に増加していき、少なくとも閉子の開度が全開に到達するまでには親子バーナ８には確実に点火が行われる。
【００１７】
また、１４に示す位置には電磁安全弁が内蔵されており、上記上下板３が下方に移動すると上記マイクロスイッチ７２をオンさせると共に、揺動板１７の突起１７ａを押し下げる。この揺動板１７は揺動軸１６を中心に揺動自在に保持されており、突起１７ａが押し下げられると揺動板１７は後方に揺動して、ロッド１５を後方に押すことになる。
【００１８】
このロッド１５が後方に押されると、上記電磁安全弁の弁体が電磁石に押接され、その状態で親子バーナ８への点火が完了すると、電磁石に保持電流が供給されて弁体が吸着されるように構成されている。従って、点火が完了して操作軸２から手を離すことによって操作軸２が上方に復帰して、揺動板１７がロッド１５を後方に押し込まなくなっても電磁安全弁は開弁状態を保持し続ける。
【００１９】
図４を参照して、カム５の外周面は上記マイクロスイッチ７１をオンさせるためのカム面５１となっている。このカム５は中空になっており、内周面に２個の凹部５２，５３と１個の凸部５４とが形成されている。
【００２０】
一方、図５に示すように、上下板３には１対の切り起こし状の突起３１が形成されており、弾性部品である円形に巻回されたバネ４が突起３１に係合している。バネ４を構成する線材の両端は内側に折り曲げられ、爪４１が形成されている。この爪４１は上記突起３１に係合して上下板３に対してバネ４が回らないように構成されている。なお、両爪４１を下方に折り曲げると共に、上下板３に突起３１ではなく穴を設けておき、その穴に下方に折り曲げられた爪を差し込むことによって回り止めをしてもよい。
【００２１】
また、上記凹部５２，５３に係合するように係合部４２を外側に張り出すように形成しているが、上記凹部５２，５３や凸部５４をカム５の天井面に形成した場合には、係合部４２は上方に起立するように折り曲げて形成することになる。
【００２２】
一方、上下板３は上述のように、操作軸２と共に上下移動するが、下方に移動した際にマイクロスイッチ７２をオンにし、かつ突起１７ａを押し下げなければならない。ところが、マイクロスイッチ７２や突起１７ａに押し下げ力を作用させる作用点３４は操作軸２から離れているので、操作軸２に対して上下板３の取り付けにガタが生じていると、上下板３が傾いて作用点３４が上方に逃げるため、ロッド１５を十分に後方に押し込むことができず、またマイクロスイッチ７２をオンにできないという不具合が生じる。そこで、操作軸２に、上下板３がほぼ隙間なく嵌まり、かつ嵌まった状態で操作軸２が回転できる幅寸法の溝２２を形成し、他方、上下板３に、操作軸２の軸部２１が通過できる大穴部３２と直径が溝２２の底部の直径に近い小孔部３３とを連通させて形成し、操作軸２を大穴部３２に通し、その後、小孔部３３を溝２２に嵌め込むことにより、上下板３を操作軸２に対してガタなく取り付けるようにした。なお、ガスコック１を組み上げると、ブラケット６が上下板３の水平方向の移動を規制するので、溝２２が大穴部３２側に移動することはない。
【００２３】
図６を参照して、上述のように消火状態、すなわち全閉状態から点火を行う場合には、最初に操作軸２を下方に押し込む（ａ）。そして、その押し込んだままの状態で操作軸２を左方向に回転させる（ｂ）。強火位置（全開位置）まで操作軸２を回動させると、バネ４の係合部４２が凹部５２に嵌まり込んでクリック感が生じ、かつ、操作軸２を回動するためのトルクが増加するので、操作者はその位置が全開位置であることを知ることができる。そのまま操作軸２を押し込んだ状態である程度の時間保持すると親子バーナ８の点火が完了し、電磁安全弁の弁体が電磁石に吸着される。その状態で手を離せば操作軸２は図示しないバネの付勢力で上方へと戻る。その全開状態から全閉状態までの間（ｃ）で操作軸２を回動すれば親子バーナ８の火力が増減する。
【００２４】
次に、子バーナ８２だけ燃焼状態にする場合には、全開位置を越えて更に操作軸２を左方向に回動させる。ｄで示す範囲は両バーナ８１，８２共に強火状態のまま火力は変化しないが、係合部４２が次の凹部５３に嵌まることにより操作軸２を一旦停止させることになる。更に操作軸２を左方向に回動させると、親バーナ８１のみの火力が絞られるが（ｅ）、このｅの範囲では親バーナ８１に逆火現象が生じるおそれがあるため、操作軸２をｅの範囲内で停止させたくない。そこで、凸部５４が設けられている。
【００２５】
バネ４の係合部４２はｄからｅに移行する際に凹部５３に嵌まっているが、更に左に回動させるためには係合部４２が凸部５４を越えなければならない。そのため、操作軸２を回動させ続けるのに大きなトルクを必要とする。凸部５４を越えなければ操作軸２は右方向に逆戻りするが、凸部５４を越えると急にトルクが小さくなるので一気にｆの範囲まで操作軸２を回動してしまうことになる。
【００２６】
ｆの範囲に入った時点では親バーナ８１は消火しており、子バーナ８２が強火状態で燃焼している。ｆの範囲内で更に左方向に回動すると、子バーナ８２の火力を最小火力まで絞ることができる。この状態から親子バーナ８を消火するには、操作軸２を消火位置まで右方向に回動させればよい。その途中で再び凸部５４を乗り越え、更に凸部５３，５２に順次嵌まることによってクリック感が生じる。
【００２７】
なお、本発明は上記した形態に限定されるものではなく、本発明の要旨を逸脱しない範囲内において種々の変更を加えてもかまわない。
【符号の説明】
【００２８】
１  ガスコック
２  操作軸
３  上下板
４  バネ
５  カム
６  ブラケット
８  親子バーナ
１５  ロッド
１７  揺動板
１７ａ  突起
２１  軸部
２２  溝
３２  大穴部
３３  小孔部
【図１】
2014173610.tif 000003
【図２】
2014173610.tif 000004
【図３】
2014173610.tif 000005
【図４】
2014173610.tif 000006
【図５】
2014173610.tif 000007
【図６】
2014173610.tif 000008